Podtech/llm-jp-corpus-v4-ja_patent huggingface dataset:
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
ボディを有し、そのボディ内には、流体流入口を有する上部室および複数個の流体流出口を有する下部室を形成する区画板と、上部室と複数個の流体流出口のそれぞれとを連通する、区画板に設けられた複数個の流体通路と、区画板に当接して流体通路を閉塞する複数個の弁体とを備え、かつ、区画板の、弁体が当接する部位が弾性体で形成されていることを特徴とする流路切換器。
【請求項２】
弁体が当接する部位はゴム硬度が５０〜９５度の範囲内にある弾性体で形成されている、請求項１に記載の流路切換器。
【請求項３】
弁体が非腐食性部材で構成されている、請求項１または２に記載の流路切換器。
【請求項４】
区画板は、弁体が当接する部位と弁体が当接しない部位とを有し、ボディと、区画板の弁体が当接する部位および弁体が当接しない部位とが熱可塑性プラスチックで一体的に成形されている、請求項１〜３のいずれかに記載の流路切換器。
【請求項５】
請求項１〜４のいずれかの流路切換器と濾材とを備えた浄水器。
【手続補正２】
【補正対象書類名】明細書
【補正対象項目名】００２４
【補正方法】変更
【補正の内容】
【００２４】
弁体１８ａ１、１８ｂ１、１８ｃ１は、水道水中などの水に含有される塩素によって錆ないように非腐食性部材で構成されたものが好ましく、たとえばプラスチックやステンレス鋼、炭素鋼にクロムメッキを施したものなどを用いることが好ましい。そして、シール性、耐久性をより高くするために、弁体１８ａ１、１８ｂ１、１８ｃ１は、繰り返し切換を行っても変形あるいは破損等が生じないように、剛体とすることが好ましい。
【手続補正３】
【補正対象書類名】明細書
【補正対象項目名】図面の簡単な説明
【補正方法】変更
【補正の内容】
【図面の簡単な説明】
【図１】本発明の一実施態様を示す浄水器の概略縦断図面である。
【図２】図１のIII−III線断面図である。
【符号の説明】
１５ 原水入口
１６ 原水取出口
１７ 原水供給口
１７ａ シャワー供給口
１８ ボディ
１８ａ，１８ｂ，１８ｃ 通水路
１８ａ１，１８ｂ１，１８ｃ１ 弁体
１８ｄ 区画板
１８ｅ 上部室
１８ｆ 下部室
２３ スプール軸
２３ａ，２３ｂ，２３ｃ カム部
【手続補正書】
【提出日】平成16年9月17日(2004.9.17)
【手続補正１】
【補正対象書類名】明細書
【補正対象項目名】００１８
【補正方法】変更
【補正の内容】
【００１８】
ところで、本実施形態の第１，第２出力ディスク１２ａ，１２ｂは両側部にトラクション面５４ａ，５４ｂを備えた一体型出力ディスクである（以下、一体型出力ディスク１２Ａと称する）。この一体型出力ディスクの最外径の側部に、トラクション面５４ａ，５４ｂを加工するときの加工基準となる基準平面５６が形成されている。この基準平面５６の径方向（主軸４の軸に直交する方向）の長さｍは、少なくとも２ｍｍ以上に設定されている。また、この基準平面５６の仕上げ加工は、一体型出力ディスク１２Ａの熱処理を行った後に行われている。
そして、一体型出力ディスク１２Ａの加工は、例えば特開2000-61702号公報で記載されている加工方法により、基準平面５６を旋盤等の加工装置の基準面にあわせ、トラクション面５４ａ，５４ｂを加工していく。
【手続補正２】
【補正対象書類名】明細書
【補正対象項目名】００１９
【補正方法】変更
【補正の内容】
【００１９】
上記構成のように、最外径の側部に基準平面５６を設けた一体型出力ディスク１２Ａを加工することで、トラクション面５４ａ，５４ｂを加工する際の外径部分の触れ回りが小さくなり、研削加工や超仕上げ加工時に、トラクション面５４ａ，５４ｂを精度良く削ることができる。したがって、この一体型出力ディスク１２Ａを備えたトロイダル型無段変速機は、伝達効率が低下せず、変速不安定などの不具合が発生しない。
【手続補正３】
【補正対象書類名】明細書
【補正対象項目名】００２０
【補正方法】変更
【補正の内容】
【００２０】
また、熱処理により一体型出力ディスク１２Ａは若干の変形をするが、本実施形態では、基準平面５６の仕上げ加工を一体型出力ディスク１２Ａの熱処理を施した後に行っているので、変形の影響を無くして基準平面５６の平面精度を高くすることができる。したがって、高い平面精度の基準平面５６を備えた一体型出力ディスク１２Ａは、トラクション面５４ａ，５４ｂの加工を高精度に行うことができる。
【手続補正４】
【補正対象書類名】明細書
【補正対象項目名】００２８
【補正方法】変更
【補正の内容】
【００２８】
上記構成のように、最外径の端部に溝部６４を設けた一体型出力ディスク６２を加工することで、トラクション面６２ａ，６２ｂを加工する際の外径部分の触れ回りが小さくなり、研削加工や超仕上げ加工時に、トラクション面６２ａ，６２ｂを精度良く削ることができる。したがって、この一体型出力ディスク６２を備えたトロイダル型無段変速機は、伝達効率が低下せず、変速不安定などの不具合が発生しない。
【手続補正５】
【補正対象書類名】明細書
【補正対象項目名】符号の説明
【補正方法】変更
【補正の内容】
【符号の説明】
６    第１無段変速機構
８    第２無段変速機構
１０ａ    第１入力ディスク
１０ｂ    第２入力ディスク
１２Ａ，５８，６２    一体型出力ディスク
１２ａ    第１出力ディスク
１２ｂ    第２出力ディスク
１４ａ    一対の第１パワーローラ
１４ｂ    一対の第２パワーローラ
５４ａ，５４ｂ，５８ａ，５８ｂ，６２ａ，６２ｂ    トラクション面
５６    基準平面
６０    段付き部
６４    溝部
【手続補正６】
【補正対象書類名】図面
【補正対象項目名】図１
【補正方法】変更
【補正の内容】
【図１】
2003156112.tif 000001
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
ガラス繊維を成形してなる芯材と、前記芯材を覆い内部を減圧して密封するガスバリア性を有する外被材とを備え、前記ガラス繊維が廃棄された真空断熱材の芯材のガラス繊維を再生処理してなる再生材料を含む原料を用いて製造されたことを特徴とする真空断熱材。
【請求項２】
ガラス繊維の平均繊維径が０．１μｍ以上１０μｍ以下、より好ましくは２μｍ以上１０μｍ以下であることを特徴とする請求項１記載の真空断熱材。
【請求項３】
芯材の密度が１００ｋｇ／ｍ3以上３８０ｋｇ／ｍ3以下であることを特徴とする請求項１または２記載の真空断熱材。
【請求項４】
芯材が有機系又は無機系のバインダーを用いて成形されたことを特徴とする請求項１から請求項３のうちいずれか一項記載の真空断熱材。
【請求項５】
内箱と外箱の間に真空断熱材を備えた断熱箱体からなる冷蔵庫であって、前記真空断熱材が適用される面積の割合が前記断熱箱体の外表面積に対して３％以上９０％以下であり、前記真空断熱材が請求項１から請求項４のうちいずれか一項記載のものであることを特徴とする真空断熱材を用いた冷蔵庫。
【請求項６】
ガラス繊維を芯材として用いた真空断熱材を備えていることを記録したことを特徴とする真空断熱材を用いた冷蔵庫。
【請求項７】
廃ガラス製品を再生処理してなる再生材料を含む原料を用いて製造されたガラス繊維を芯材として用いた真空断熱材を備えていることを記録したことを特徴とする真空断熱材を用いた冷蔵庫。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技機本体の一側部に配置されるとともに遊技球を発射する球発射装置と、その球発射装置から発射された遊技球を遊技機本体の他側部側の斜め上方に向けて案内する発射レールと、その発射レールから前記他側部側の斜め上方に飛び出した遊技球を遊技領域に案内する球案内通路とを備え、
前記発射レールを前記球発射装置の発射位置から遊技領域の中央位置を越えて前記他側部側に延びるように形成したことを特徴とする遊技機。
【請求項２】  遊技機本体の一側部に配置されるとともに遊技球を発射する球発射装置と、その球発射装置から発射された遊技球を遊技機本体の他側部側の斜め上方に向けて案内する発射レールと、その発射レールから前記他側部側の斜め上方に飛び出した遊技球を遊技領域に案内する球案内通路とを備え、
前記遊技領域の中央最下部にはアウト口を設け、前記発射レールを前記球発射装置の発射位置から遊技領域のアウト口を越えて前記他側部側に延びるように形成したことを特徴とする遊技機。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  特定大当り、通常大当りまたは外れであることを報知するための特別図柄につき、始動口への入賞に基づいて、各種設定時間に亘る変動表示の後に確定表示をする図柄表示部と、
特定大当りまたは通常大当りに係る確定表示に基づいて、入賞が容易であるように開成する特定入賞口と、
特定入賞口への入賞に基づき所定数の遊技球を払出す払出部と、
各部を制御する制御部と
を備え、
制御部において、
抽選により、各確定表示を、特定大当り、通常大当りまたは外れと定める当り判定処理と、
特定大当りに係る確定表示をすることに対応して、次回の特定大当りまたは通常大当りとなる確率を増加する確率変動状態を生起するように設定する確率変動設定処理と、
確率変動状態において通常大当りに係る確定表示をしたことに対応して、その後における変動表示の設定時間の平均値が、特定回数までの変動表示において短縮される変動時間短縮状態を生起するように設定する短縮設定処理と
を行うと共に、
変動時間短縮状態において通常大当りに係る確定表示をしたことに対応して、再度特定回数までにおいて変動表示の設定時間の平均値が短縮される変動時間短縮状態を生起するように設定する再短縮設定処理を行い、
確率変動状態でなくかつ変動時間短縮状態でない状態において通常大当りに係る確定表示をしたことに対応して、変動表示の設定時間の平均値が短縮される変動時間短縮状態を生起するように設定する処理をしない
ことを特徴とするパチンコ機。
【請求項２】  特定大当り、通常大当りまたは外れであることを報知するための特別図柄につき、始動口への入賞に基づいて、各種設定時間に亘る変動表示の後に確定表示をする図柄表示部と、
特定大当りまたは通常大当りに係る確定表示に基づいて、入賞が容易であるように開成する特定入賞口と、
特定入賞口への入賞に基づき所定数の遊技球を払出す払出部と、
各部を制御する制御部と
を備え、
制御部において、
抽選により、各確定表示を、特定大当り、通常大当りまたは外れと定める当り判定処理と、
特定大当りに係る確定表示をすることに対応して、次回の特定大当りまたは通常大当りとなる確率を増加する確率変動状態を生起するように設定する確率変動設定処理と、
確率変動状態において通常大当りに係る確定表示をしたことに対応して、その後における変動表示の設定時間の平均値が、特定回数までの変動表示において短縮される変動時間短縮状態を生起するように設定する短縮設定処理と
を行うと共に、
変動時間短縮状態において通常大当りに係る確定表示をしたことに対応して、再度特定回数までにおいて変動表示の設定時間の平均値が短縮される変動時間短縮状態を生起するように設定する再短縮設定処理を行い、
確率変動状態でなくかつ変動時間短縮状態でない状態において通常大当りに係る確定表示をしたことに対応して、変動表示の設定時間の平均値が、特定回数より少ない所定回数において短縮される変動時間短縮状態を生起するように設定する別短縮設定処理を行う
ことを特徴とするパチンコ機。
【請求項３】  更に、特定回数、所定回数、残り特定回数、残り所定回数、経過特定回数、または経過所定回数を報知する回数報知部を含むことを特徴とする請求項１または請求項２に記載のパチンコ機。
【手続補正２】
【補正対象書類名】明細書
【補正対象項目名】０００７
【補正方法】変更
【補正の内容】
【０００７】
【課題を解決するための手段】
上記目的を達成するために、請求項１に記載の発明は、特定大当り、通常大当りまたは外れであることを報知するための特別図柄につき、始動口への入賞に基づいて、各種設定時間に亘る変動表示の後に確定表示をする図柄表示部と、特定大当りまたは通常大当りに係る確定表示に基づいて、入賞が容易であるように開成する特定入賞口と、特定入賞口への入賞に基づき所定数の遊技球を払出す払出部と、各部を制御する制御部とを備え、制御部において、抽選により、各確定表示を、特定大当り、通常大当りまたは外れと定める当り判定処理と、特定大当りに係る確定表示をすることに対応して、次回の特定大当りまたは通常大当りとなる確率を増加する確率変動状態を生起するように設定する確率変動設定処理と、確率変動状態において通常大当りに係る確定表示をしたことに対応して、その後における変動表示の設定時間の平均値が、特定回数までの変動表示において短縮される変動時間短縮状態を生起するように設定する短縮設定処理とを行うと共に、変動時間短縮状態において通常大当りに係る確定表示をしたことに対応して、再度特定回数までにおいて変動表示の設定時間の平均値が短縮される変動時間短縮状態を生起するように設定する再短縮設定処理を行い、確率変動状態でなくかつ変動時間短縮状態でない状態において通常大当りに係る確定表示をしたことに対応して、変動表示の設定時間の平均値が短縮される変動時間短縮状態を生起するように設定する処理をしないことを特徴とするものである。
【手続補正３】
【補正対象書類名】明細書
【補正対象項目名】０００８
【補正方法】変更
【補正の内容】
【０００８】
上記目的を達成するために、請求項２に記載の発明は、特定大当り、通常大当りまたは外れであることを報知するための特別図柄につき、始動口への入賞に基づいて、各種設定時間に亘る変動表示の後に確定表示をする図柄表示部と、特定大当りまたは通常大当りに係る確定表示に基づいて、入賞が容易であるように開成する特定入賞口と、特定入賞口への入賞に基づき所定数の遊技球を払出す払出部と、各部を制御する制御部とを備え、制御部において、抽選により、各確定表示を、特定大当り、通常大当りまたは外れと定める当り判定処理と、特定大当りに係る確定表示をすることに対応して、次回の特定大当りまたは通常大当りとなる確率を増加する確率変動状態を生起するように設定する確率変動設定処理と、確率変動状態において通常大当りに係る確定表示をしたことに対応して、その後における変動表示の設定時間の平均値が、特定回数までの変動表示において短縮される変動時間短縮状態を生起するように設定する短縮設定処理とを行うと共に、変動時間短縮状態において通常大当りに係る確定表示をしたことに対応して、再度特定回数までにおいて変動表示の設定時間の平均値が短縮される変動時間短縮状態を生起するように設定する再短縮設定処理を行い、確率変動状態でなくかつ変動時間短縮状態でない状態において通常大当りに係る確定表示をしたことに対応して、変動表示の設定時間の平均値が、特定回数より少ない所定回数において短縮される変動時間短縮状態を生起するように設定する別短縮設定処理を行うことを特徴とするものである。
【手続補正書】
【提出日】平成17年8月26日(2005.8.26)
【手続補正１】
【補正対象書類名】明細書
【補正対象項目名】００２９
【補正方法】変更
【補正の内容】
【００２９】
ここで、表２ロックウールの吸上げ高さについては、支持体全体としての吸上げ高さでなく、ロックウール繊維の濡れ高さを吸上げ高さとした。  
上記表３に示したように、実施例１〜２の支持体は苗の支持性に優れ、苗の生育状況も良好であった。また、支持体の上表面が常に乾燥していたため、支持体上表面の青カビ・苔の発生は全くなく、病気の発生もなく、品質のよいトマトが多く収穫できた。ここで、実施例２の支持体を用いて収穫されたトマトの総重量を１００とし、他例での収穫量との指数で表した。  
比較例１のロックウールを支持体として用いた場合には、苗の支持性は良かったが、水位を下げても支持体内の液肥水位がほとんど下がらず、支持体上表面まで常に冠水していたため、支持体上表面に青カビ、苔が大量に発生してしまい、２株が枯死してしまった。また、残り３株のうち１株はかなりの根腐れを起こしてしまい、全体的に生育が非常に悪かった。  
比較例２の従来の軟質ウレタンフォームを支持体として用いた場合には、他例と同様に図１のようにして保持させようとしたところ、根付け当初は辛うじて苗を支持し生育していたが、水の供給力の低さと伸びが大きいためか根がほとんど成長せず水耕栽培容器で栽培し始めてから１ヶ月で全滅してしまい、収穫にまで至らなかった。  
【発明の効果】  
以上詳述したように、本発明による所定の物性を持つポリウレタンフォームからなる水耕栽培用支持体は親水性であり、上部に結実する果菜類の水耕栽培にも用いることができるほどにしっかりとした支持性を有しながら、適度な水と酸素の供給バランスを兼ね備えており、なおかつ根の成長を阻害せず生育状況も非常に良好であった。  
また、本願支持体の吸上げ高さを３ｍｍ〜５０ｍｍとすることにより、水耕栽培用容器の循環液肥水位を時折下げて根に酸素を供給してやるときに、支持体内の液肥水位８（毛細管現象による吸い上げ高さ）は重力と均衡が再びとれる位置まで容易に下がるため、支持体の上表面が常に乾燥していた。このことから根からの酸素摂取が活発に行なわれ生育状況は非常に良好であり、支持体上表面の青カビ・苔の発生がなく、根腐れ・病気等の発生も全くなく、品質のよいトマトが多く収穫できた。  
【手続補正２】
【補正対象書類名】明細書
【補正対象項目名】図面の簡単な説明
【補正方法】変更
【補正の内容】
【図面の簡単な説明】  
【図１】本願の水耕栽培用支持体の使用例  
【図２】図１の水耕栽培用支持体の中心円筒状部  
【図３】本願の水耕栽培の一例  
【図４】従来のトマト水耕栽培用支持体として軟質ポリウレタンフォームを使用した例  【図５】従来のトマト水耕栽培用支持体として軟質ポリウレタンフォームを使用した場合の網目状の箱による補強例  
【図６】従来のトマト水耕栽培用支持体としてロックウールを使用した例  
【図７】図６の水耕栽培用支持体の中心円筒状部  
【符号の説明】  
１…ポリウレタンフォーム支持体、２，１２，２２…苗、３…円筒型ポリウレタンフォーム、４…カット線、５…支持体の上表面、６…蓋、７…循環液体肥料、８…支持体内の液体肥料水位、９，１４，２４…根、１０…支持体を固定する穴、１１…軟質ポリウレタンフォームシート、１３…網目状の箱、２１…ロックウール支持体、２３…円筒型ロックウール。
【手続補正書】
【提出日】平成16年4月27日(2004.4.27)
【手続補正１】
【補正対象書類名】手続補正書
【補正対象項目名】手続補正１
【補正方法】変更
【補正の内容】
【手続補正１】
【補正対象書類名】明細書
【補正対象項目名】特許請求の範囲
【補正方法】変更
【補正の内容】
【特許請求の範囲】
【請求項１】
多角形もしくは円形の枠に、複数の突起物を取り付け、それぞれの突起物に釣針付きのハリスを取り付け、また、枠に道糸とつながる糸を取り付けた、複数のハリスに釣針を取り付けた釣り仕掛け。
【請求項２】
多角形もしくは円形の枠に、複数の突起物を取り付け、それぞれの突起物に、ゴム管を差し込み、また同時に釣針付きのハリスを、ゴム管に通し、突起物の付け根に釣針付きのハリスを取り付け固定し、また、枠に道糸とつながる糸を取り付けた、複数のハリスに釣針を取り付けた釣り仕掛け。
【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
発酵麦芽飲料の製造に際して、収穫後乾燥することなく凍結した生ホップ若しくはその粉砕物を、ホップ原料として又は生ホップフレーバーとして用いることを特徴とする発酵麦芽飲料の製造方法。
【請求項２】
収穫後乾燥することなく凍結した生ホップ若しくはその粉砕物を、ホップ原料として又は生ホップフレーバーとして、通常のホップ及び／又はホップエキスと併用することを特徴とする請求項１記載の発酵麦芽飲料の製造方法。
【請求項３】
収穫後乾燥することなく凍結した生ホップ若しくはその粉砕物を、ホップ原料として、麦汁煮沸工程終了時点に近いところで、添加することを特徴とする請求項１又は２記載の発酵麦芽飲料の製造方法。
【請求項４】
収穫後乾燥することなく凍結した生ホップ若しくはその粉砕物、又は該生ホップ若しくはその粉砕物から抽出分離したフレーバーを、発酵麦芽飲料の製造工程における、麦汁煮沸後（麦汁煮沸工程終了後）、発酵後（又は発酵工程の終了時）、或いは熟成（貯蔵）後（又は熟成工程の終了時）に生ホップフレーバーとして添加することを特徴とする請求項１又は２記載の発酵麦芽飲料の製造方法。
【請求項５】
請求項１〜４のいずれか記載の発酵麦芽飲料の製造方法で製造された、新鮮ホップによる香味を有する発酵麦芽飲料。
【請求項６】
発酵麦芽飲料が、ビール又は発泡酒であることを特徴とする請求項５記載の発酵麦芽飲料。
【請求項７】
生ホップ若しくはその粉砕物を用いた発酵麦芽飲料の製造方法で製造された発酵麦芽飲料であって、該発酵麦芽飲料中のフムレンジエポキシドＡ及びフムレンジエポキシドＢの総量が、ＧＣ−ＭＳの分析による内部標準のボルネオール１１０ｍ／ｚ（１００％）に対する各ターゲットイオンの相対値（％）の総和で、０．２％以下のごく少量となることを特徴とする新鮮ホップによる香味を有する発酵麦芽飲料。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
水は浸透するが微生物類を阻止するフイルター機能を有する光透過性の構造物中に光合成微生物を入れて光照射下の環境水に設置し、該フィルター機能を有する構造物を介して浸透してくる環境水中の栄養塩分を摂取させながら該構造物中で光合成微生物の培養増殖を行なわせることを特徴とする光合成微生物の培養方法。
【請求項２】
前記構造物は、孔径が０．４５μｍ以下の隙間や貫通孔を有する多孔性の透明高分子材から構成されている請求項１に記載の光合成微生物の培養方法。
【請求項３】
前記構造物は、海水中に水平方向に浸漬させて太陽光照射と海水中の栄養塩分を取り込み海洋光合成微生物の培養増殖を行なわせる請求項１又は２に記載の光合成微生物の培養方法。
【請求項４】
水は浸透するが微生物類を阻止するフイルター機能を有する光透過性の構造物が光照射下の環境水に設置され、且つ、光合成微生物懸濁液を構造物内と培養槽との間でポンプ及び循環ラインを介して循環させて、該構造物内での光合成微生物の連続培養増殖が行なえるように構成されたことを特徴とする光合成微生物の培養装置。
【手続補正２】
【補正対象書類名】明細書
【補正対象項目名】０００５
【補正方法】変更
【補正の内容】
【０００５】
すなわち、本発明の光合成微生物の培養方法は、水は浸透するが微生物類を阻止するフイルター機能を有する光透過性の構造物中に光合成微生物を入れて光照射下の海水、湖沼、ダム湖等の環境水に設置し、該フィルター機能を有する構造物を介して浸透してくる環境水中の栄養塩分を摂取させながら該構造物中で光合成微生物の培養増殖を行なわせることを特徴とする。
【手続補正３】
【補正対象書類名】明細書
【補正対象項目名】０００６
【補正方法】変更
【補正の内容】
【０００６】
上記本発明における構造物は、孔径が０．４５μｍ以下の隙間や貫通孔を有する多孔性の透明高分子材からチューブ（中空管状）に成形されたものが望ましい。
上記本発明におけるチューブ状構造物は、海水中に水平方向に浸漬させて太陽光照射と海水中の栄養塩分を取り込み光合成微生物の培養増殖を行なわせるのに有効で好ましい培養方法である。
【手続補正４】
【補正対象書類名】明細書
【補正対象項目名】０００７
【補正方法】変更
【補正の内容】
【０００７】
また本発明の光合成微生物の培養装置は、水は浸透するが微生物類を阻止するフイルター機能を有する光透過性の構造物が光照射下の環境水に設置され、且つ、光合成微生物懸濁液を構造物内と培養槽との間でポンプ及び循環ラインを介して循環させて、該構造物内での光合成微生物の連続培養増殖が行なえるように構成されたことを特徴とする。
【手続補正書】
【提出日】平成16年5月26日(2004.5.26)
【手続補正１】
【補正対象書類名】明細書
【補正対象項目名】請求項１
【補正方法】変更
【補正の内容】
【請求項１】
酸化還元酵素、光照射により電子を放出する光励起還元剤、アミン系電子供与体、及び該酸化還元酵素の基質を水に溶解させ混合する第１段階、第１段階で生成した混合物を７０〜２７０Ｋに冷却して凍結する第２段階、第２段階で生成した凍結混合物に７０〜２７０Ｋで前記光励起還元剤の吸収波長を含む波長の光を照射する第３段階、及び第３段階で生成した凍結混合物を８０〜２７０Ｋであって第３段階の温度より高い温度へ昇温する第４段階から成る酸化還元酵素の反応中間体を捕捉する方法。
【手続補正２】
【補正対象書類名】明細書
【補正対象項目名】０００６
【補正方法】変更
【補正の内容】
【０００６】
即ち、本発明は、酸化還元酵素、光照射により電子を放出する光励起還元剤、アミン系電子供与体、及び該酸化還元酵素の基質を水に溶解させ混合する第１段階、第１段階で生成した混合物を７０〜２７０Ｋに冷却して凍結する第２段階、第２段階で生成した凍結混合物に７０〜２７０Ｋで前記光励起還元剤の吸収波長を含む波長の光を照射する第３段階、及び第３段階で生成した凍結混合物を８０〜２７０Ｋであって第３段階の温度より高い温度へ昇温する第４段階から成る酸化還元酵素の反応中間体を捕捉する方法である。
【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
遊技の進行を制御する遊技制御手段と、該遊技制御手段からの指令情報に基づいて複数の識別情報を変動表示する変動表示ゲームの表示制御を含む演出制御を行う演出制御手段と、を備え、前記変動表示ゲームの結果態様に関連して遊技者にとって有利な特別遊技状態を発生可能な遊技機において、
前記演出制御手段は、他の遊技機の演出制御手段と制御情報を送受信可能な構成とし、
前記遊技制御手段からの指令情報に基づいて自遊技機の主演出となる遊技に関わる演出の制御を行う主演出制御手段と、
他の遊技機からの制御情報に基づいて、該他の遊技機の主演出に対して従属演出となる演出の制御を行う従属演出制御手段と、を備え、
前記主演出制御手段は、前記遊技制御手段からの指令情報に基づいて変動表示ゲームの演出パターンを決定し、該変動表示ゲームの制御を行うものであり、
前記従属演出制御手段は、他の遊技機からの制御情報として、該他の遊技機において動画キャラクタが出現するリーチ状態が発生したことを示す情報を受信した場合は、該動画キャラクタを自遊技機における変動表示ゲームに出現させることを特徴とする遊技機。
【手続補正２】
【補正対象書類名】明細書
【補正対象項目名】０００６
【補正方法】変更
【補正の内容】
【０００６】
【課題を解決するための手段】
第１の発明は、遊技の進行を制御する遊技制御手段と、該遊技制御手段からの指令情報に基づいて複数の識別情報を変動表示する変動表示ゲームの表示制御を含む演出制御を行う演出制御手段と、を備え、前記変動表示ゲームの結果態様に関連して遊技者にとって有利な特別遊技状態を発生可能な遊技機において、
前記演出制御手段は、他の遊技機の演出制御手段と制御情報を送受信可能な構成とし、前記遊技制御手段からの指令情報に基づいて自遊技機の主演出となる遊技に関わる演出の制御を行う主演出制御手段と、他の遊技機からの制御情報に基づいて、該他の遊技機の主演出に対して従属演出となる演出の制御を行う従属演出制御手段と、を備え、前記主演出制御手段は、前記遊技制御手段からの指令情報に基づいて変動表示ゲームの演出パターンを決定し、該変動表示ゲームの制御を行うものであり、前記従属演出制御手段は、他の遊技機からの制御情報として、が板の遊技機において動画キャラクタが出現するリーチ状態が発生したことを示す情報を受信した場合は、該動画キャラクタを自遊技機における変動表示ゲームに出現させることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
【発明の効果】
第１の発明では、自遊技機で、他遊技機で行われる遊技内容と関連した演出を実行可能であるので、近傍の遊技機と一緒等の演出を楽しむことができる。また、自遊技機の演出形態が変化するので、遊技者は期待を込めて遊技を行うことができる。例えば、他の遊技機において動画キャラクタが出現するリーチが発生した場合、自遊技機の変動表示ゲームにそのリーチの動画キャラクタを出現させるので、演出のバリエーションを高めることができると共に、他の遊技機で発生したリーチが自遊技機で発生しないかとの遊技者の期待感を高めることができ、変動表示ゲームの興趣が高まる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
遊技球が流下可能な案内通路と、
前記案内通路の終端部に臨み、遊技球を外周に嵌入可能な複数の切欠部を等間隔に設けてなるスプロケットと、
前記スプロケットを回転させるパルスモータと、
前記スプロケットの回転により前記複数の切欠部に嵌入された遊技球を排出流下させる排出通路と、
前記スプロケットの回りに形成され、前記案内通路と前記排出通路とを結ぶ搬送路と、
前記スプロケットの回転により排出された遊技球を１個宛検出可能な球検出手段と、
を具備した球排出装置と、
前記球排出装置を駆動して遊技球を所定個数排出制御する排出制御装置と、
を備える遊技機において、
前記球排出装置は、
前記案内通路の終端通路部を、遊技球が前記スプロケットの軸側に向かって進行するように形成し、
前記排出通路を、前記スプロケットの第１の切欠部が前記案内通路の終端通路部の遊技球収納位置にあるときに、該第１の切欠部の対称位置にある第２の切欠部が遊技球を当該排出通路に解放する位置となるように形成し、
前記第１の切欠部と前記第２の切欠部との間であり、かつ前記搬送路内に臨む切欠部に遊技球を収納させて、該切欠部の遊技球の重みによって前記スプロケットの回転方向に力が働くように構成し、
前記排出制御装置は、
所定個数の遊技球を排出する場合に前記パルスモータに対して所定の複数のパルス信号を所定回数連続して出力することで前記スプロケットの回転制御を行う回転制御手段を備え、
前記回転制御手段は、
前記スプロケットを回転状態から停止する場合は、最後の遊技球の排出における複数のパルス信号の出力時間を長くして、スプロケットの回転方向への慣性を抑制してスプロケットを停止状態とし、その後パルスモータを非励磁状態とすることを特徴とする遊技機。
【手続補正２】
【補正対象書類名】明細書
【補正対象項目名】００１１
【補正方法】変更
【補正の内容】
【００１１】
【課題を解決するための手段】
第１の発明は、遊技球が流下可能な案内通路と、前記案内通路の終端部に臨み、遊技球を外周に嵌入可能な複数の切欠部を等間隔に設けてなるスプロケットと、前記スプロケットを回転させるパルスモータと、前記スプロケットの回転により前記複数の切欠部に嵌入された遊技球を排出流下させる排出通路と、前記スプロケットの回りに形成され、前記案内通路と前記排出通路とを結ぶ搬送路と、前記スプロケットの回転により排出された遊技球を１個宛検出可能な球検出手段と、を具備した球排出装置と、前記球排出装置を駆動して遊技球を所定個数排出制御する排出制御装置と、を備える遊技機において、前記球排出装置は、前記案内通路の終端通路部を、遊技球が前記スプロケットの軸側に向かって進行するように形成し、前記排出通路を、前記スプロケットの第１の切欠部が前記案内通路の終端通路部の遊技球収納位置にあるときに、該第１の切欠部の対称位置にある第２の切欠部が遊技球を当該排出通路に解放する位置となるように形成し、前記第１の切欠部と前記第２の切欠部との間であり、かつ前記搬送路内に臨む切欠部に遊技球を収納させて、該切欠部の遊技球の重みによって前記スプロケットの回転方向に力が働くように構成し、前記排出制御装置は、所定個数の遊技球を排出する場合に前記パルスモータに対して所定の複数のパルス信号を所定回数連続して出力することで前記スプロケットの回転制御を行う回転制御手段を備え、前記回転制御手段は、前記スプロケットを回転状態から停止する場合は、最後の遊技球の排出における複数のパルス信号の出力時間を長くして、スプロケットの回転方向への慣性を抑制してスプロケットを停止状態とし、その後パルスモータを非励磁状態とする。


【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
【発明の効果】
第１の発明によれば、排出通路を、スプロケットの第１の切欠部が案内通路の終端通路部の遊技球収納位置にあるときに、第１の切欠部の対称位置にある第２の切欠部が遊技球を排出通路に解放する位置となるように形成し、第１の切欠部と第２の切欠部との間であり、かつ搬送路内に臨む切欠部に遊技球を収納させて、該切欠部の遊技球の重みによってスプロケットの回転方向に力が働くように構成し、回転制御手段は、スプロケットを回転状態から停止する場合は、最後の遊技球の排出における複数のパルス信号の出力時間を長くするので、スプロケットを回転状態から停止する場合に、スプロケットは切欠部に嵌入されている遊技球やスプロケット自身の回転慣性に抗して、確実に停止される。したがって、球の高速の払い出しを行えると共に、払い出しを終了するときに、球の過払い出しを生じてしまうことを防止できる。


【手続補正５】
【補正対象書類名】明細書
【補正対象項目名】００１４
【補正方法】削除
【補正の内容】
【手続補正書】
【提出日】平成16年3月5日(2004.3.5)
【手続補正１】
【補正対象書類名】明細書
【補正対象項目名】００１４
【補正方法】変更
【補正の内容】
【００１４】
図８は傾斜板１ａの相違による各種ペット用トイレを示す図であって、傾斜板１ａが、図８（ａ）は平板、図８（ｂ）は通水板、図８（ｃ）はＶ型板からなるトイレ本体１を示すものである。傾斜板１ａに使用する平板、凹凸板、通水板等の傾斜角度は様々に形成可能であるが、便器９内底部や排水槽９ｆ内の水溜に触れない程度、また、ペットが底板に降りた時にも違和感なく踏み留まっていられる程度緩やかに下降させるとともに、便が転がり得るだけの傾斜を確保する為に、好ましくは２０度前後程度以内に形成して、排水槽９ｆに向かって緩やかに下降するものとし、後述する各種付属品の着脱を可能に形成する。傾斜板１ａの傾斜角度は一定角度を保って傾斜させるだけでなく、ペットが着地する傾斜板１ａ前部においては平面〜１０度前後程度の緩やかな角度に、排泄物が接触する後部は前部より急な角度にする等、一枚の傾斜板１ａの中で複数段階に亘って傾斜角度を変えて緩急を形成することも可能であり、殊に傾斜板１ａの排出口１ｆ寄り１／３〜１／２程度は便を排出させる場として、場合によっては２０度を超えて３０度前後程度までの傾斜を持たせることも可能となる。Ｖ型板、Ｕ型板及びその中間型等では、同様の下降を形成するとともに、傾斜板１ａの中央部に、前部から後部にかけて縦方向の谷が形成されるようにＶ型、Ｕ型及びその中間型等に緩やかに凹ませて排出口１ｆに尿を導く集水溝１ｃとするか、或いは、傾斜板１ａの両側に谷が形成されるように各々を逆さまにした形状に緩やかに突出させて排出口１ｆに尿を導く集水溝１ｃとし、集水溝１ｃ末端部に採尿管用ネジ穴６ｃを空けるか、集水溝最末端に採尿管を受けるホルダーを延出形成して採尿管６ｂを装着する等、各種付属品の着脱を可能に形成するものである。谷の下降線は傾斜板１ａの下降線と直角をなすが、元々底板が傾斜しているところに更に谷を形成すると急な印象を受ける為、谷の傾斜角度は、採尿管６ｂ直前で尿が合流する程度ゆるやかに、好ましくは５〜１５度前後程度に形成する。前述のように一枚の傾斜板１ａの中で複数段階に亘って角度を変えて形成する場合には、傾斜板１ａの前部から後部全体にかけて一直線に集水溝１ｃを形成させるだけでなく、ペットが着地する傾斜板１ａ前部においては集水溝１ｃを形成せず、排泄物が接触する後部のみ集水溝１ｃを形成する等必要箇所に部分的に形成することも可能であり、傾斜角度と集水溝１ｃの長さの組み合わせは様々に考えられる。更に、Ｖ型板、Ｕ型板及びその中間型等には、通水穴１ｂを形成してＶ型通水板としたり、或いは、凹凸を形成することも可能である。凹凸板に通水穴１ｂを形成することも可能である。各種傾斜板１ａに通水穴１ｂや凹凸を形成する場合には、傾斜板１ａ全体に形成することは勿論、必要箇所に部分的に形成しても良い。
【手続補正２】
【補正対象書類名】明細書
【補正対象項目名】００３８
【補正方法】変更
【補正の内容】
【００３８】
図８（ｃ）に示すように、Ｖ型板、Ｕ型板及びその中間型等では、集水溝１ｃ末端部に採尿管用ネジ穴６ｃを形成し、該採尿管用ネジ穴６ｃに採尿管６ｂをトイレ本体１裏面から螺合するか、集水溝最末端に採尿管を受けるホルダーを延出形成し、該採尿管用ホルダーに採尿管を差し込む等して採尿し、そのまま尿を移し替えることなく可搬可能となる。採尿後は、前者の場合、中栓６ｄ等で採尿管６ｂの口を塞いだ後、トイレ本体１を俯仰させる等して取り外し、必要に応じて更に蓋を螺合する。採尿管用ネジ穴６ｃは傾斜板１ａの裏方向に突出させて形成し、螺合部６ｅは低部の排出口１ｆ側の位置まで形成する。排出口１ｆ寄りは採尿管６ｂが傾斜板１ａから突出しても尿を堰き止める堰となって採尿に役立つが、前部寄りは盾となって採尿の邪魔になる為、螺合部末端に歯止めを設けて、少なくとも前部寄りが突出しないように形成すると良い。トイレ本体１の底板が緩やかではあるものの傾斜している為、余分な尿は採尿管６ｂ上を通過して排出口１ｆから廃棄され、尿が採尿管６ｂに回り込むこともないが、素手による着脱に抵抗がある場合には、嵌合型の採尿管とし、予め該採尿管の口部もしくは口部周辺部等少なくとも周囲の対角線上の二箇所にチェーンやワイヤー等からなるハーネスを取り付けておくことで、採尿後、ハーネス毎引き上げて取り外すことも可能となり、着脱の為にトイレ本体を俯仰させる手間も必要なくなる。採尿管が採尿管用の穴に埋もれないように採尿管の口部周囲に縁部を設ける場合は、傾斜板及び集水溝の傾斜形状に沿うように形成するか、或いは、傾斜板の嵌合部のみ平面に形成しても良い。縁部を形成する場合は、口部もしくは口部周辺部に直接ハーネスを取り付けておく他、該採尿管の口径に合わせて、リングや穴銭状の円盤を下から挿通し、採尿管の縁部直下に納めてから採尿管用の穴に嵌合し、採尿後、ハーネスを介してリングや円盤を引き上げることで採尿管を取り外すことも可能となる。この場合は、リングや円盤の厚みが傾斜板１ａから縁部をせり出させることのないように、採尿管用の穴の外周に溝を掘って収めると良い。また、リングや円盤とハーネスとの連結部が採尿管の縁部をまくれ上げることのないように、縁部に切り欠き入れたり、円盤の直径を縁部の直径よりも大きく形成しても良い。ハーネスの引き手部分は汚れないように、採便板用長穴やその他の穴等にチェーンを絡め止めた後に嵌合したり、ハーネス末端部にフックを設ける等してトイレ本体の縁部に掛け止めることも可能である。嵌合型の場合は、採尿管用の穴に螺合部を必要としないが、螺合型、嵌合型双方ともに利用できるようにする為に形成しておいても良い。後者の場合、集水溝１ｃの最末端を突出させて尿が採尿管６ｂ内に注ぎ込むように注ぎ口を形成しても良い。前記同様ハーネスを取り付けても良いが、採尿管６ｂを大きめに形成することで尿を溢れさせず、素手による着脱が可能となる。また、柄の末端がフックになっている柄杓状の採尿管を掛け止めることも可能であり、採尿管と柄を着脱自在にしておくことで、可搬に際して柄が邪魔になることもなくなる。
【手続補正書】
【提出日】平成16年10月7日(2004.10.7)
【手続補正１】
【補正対象書類名】明細書
【補正対象項目名】０００４
【補正方法】変更
【補正の内容】
【０００４】
【発明が解決しようとする課題】
ここで、放流先が海域であったり、排水の受け入れ先においてその基準項目にＣＯＤ（化学的酸素要求量）が含まれている場合、濃縮ブロー水をｐＨ調整のみで放流することはできず、ＣＯＤを低減するための処理が必須となる。特に、他の工程からの排水と混合することなく、濃縮ブロー水を単独で処理する場合には、生物処理では効率的な処理が行えない。そこで、凝集沈殿処理などによって、汚濁成分を除去しようとするが、濃縮ブロー水には、スケール発生を抑制するための分散剤が含まれており、凝集が難しい。このため、凝集剤の注入量が非常に多くなってしまうという問題があった。
【手続補正２】
【補正対象書類名】明細書
【補正対象項目名】０００９
【補正方法】変更
【補正の内容】
【０００９】
冷却設備から排出される濃縮ブロー水は、通常の凝集沈殿では凝集剤の添加量が非常に大きくなってしまうが、鉄系の無機凝集剤を用い、ｐＨを４〜６．５に設定することで効果的な処理が行える。特に、生物処理水を冷却用水として使用している場合、スケール発生がしやすく分散剤などの添加量も増え、濃縮ブロー水の凝集が難しいが、本発明の方法により効果的な処理が行える。
【手続補正３】
【補正対象書類名】明細書
【補正対象項目名】００１６
【補正方法】変更
【補正の内容】
【００１６】
無機凝集剤注入設備２２は、塩化第二鉄や、ポリ硫酸第二鉄など鉄系の無機凝集剤が採用される。また、ｐＨ調整剤注入設備２４は、アルカリ（例えば苛性ソーダ）、または酸（例えば塩酸）を注入し、ｐＨを４〜６．５（好ましくは５）に調整する。なお、図においては、ｐＨセンサなどを示さなかったが、ｐＨセンサを設け、目標ｐＨになるようにｐＨ調整剤の添加量を制御することが好適である。
【手続補正４】
【補正対象書類名】明細書
【補正対象項目名】００１９
【補正方法】変更
【補正の内容】
【００１９】
ここで、本実施形態においては、混和槽１４において、鉄系の無機凝集剤を添加し、ｐＨを４〜６．５（好ましくは５）に調整して凝集処理を行った。このような酸性での鉄系凝集剤を利用する凝集によって、凝集剤の注入量を比較的少なくして、効果的な凝集処理によるＣＯＤの低減が行える。鉄系の無機凝集剤の注入量は、塩化第二鉄（塩化第二鉄３８％溶液）の添加量３００〜１０００ｍｇ／Ｌ（好ましくは５００ｍｇ／Ｌ程度）において、ＣＯＤについて効果的な低減が行われる。また、ｐＨを４〜６．５に調整することが好適であることが実験で確認されている。
【手続補正５】
【補正対象書類名】明細書
【補正対象項目名】００２０
【補正方法】変更
【補正の内容】
【００２０】
また、活性炭注入設備２０による活性炭の注入は、無機凝集剤の注入より手前（上流側）で行うことが好ましく、比較的大きな有機物などが活性炭に吸着され、無機凝集剤による凝集効果が向上するだけでなく、懸濁した粉末活性炭を凝集によって処理することができる。
【手続補正６】
【補正対象書類名】明細書
【補正対象項目名】００２１
【補正方法】変更
【補正の内容】
【００２１】
図２は、他の実施形態に係るシステムを示す図である。この実施形態では、活性炭注入設備２０に代えて、活性炭処理設備５０を沈殿槽１８の後に有している。これによって、凝集沈殿処理後の沈殿上澄み水を被処理水として、これが活性炭に接触され、沈殿上澄み水中の汚濁成分がさらに処理される。ここで、この活性炭処理設備５０は、粉末活性炭と被処理水を接触させた後、粉末活性炭を沈殿除去する処理でもよいが、粒状活性炭を充填した活性炭処理塔に被処理水を流通して活性炭と被処理水を接触させる処理でもよい。さらに、使用する活性炭は、粒状活性炭に限らず、繊維状のものでもよい。
【手続補正７】
【補正対象書類名】明細書
【補正対象項目名】００４８
【補正方法】変更
【補正の内容】
【００４８】
【発明の効果】
このように、本発明によれば、鉄系の無機凝集剤を用い、ｐＨを４〜６．５に設定することで効果的な処理が行える。特に、生物処理水を冷却用水として使用している場合、スケール発生がしやすく分散剤などの必要添加量も増え、濃縮ブロー水の凝集が難しいが、本発明の方法により効果的な処理が行える。
【手続補正書】
【提出日】平成16年12月1日(2004.12.1)
【手続補正１】
【補正対象書類名】明細書
【補正対象項目名】０００２
【補正方法】変更
【補正の内容】
【０００２】
【従来の技術】
従来、医療用器具等を滅菌するには、高圧蒸気滅菌器が広く用いられている。
従来の滅菌器は、医療用器具等の被滅菌物を収納して密閉するチャンバーを具備し、このチャンバーの中に水を溜め、この水をヒーターで加熱することにより、同チャンバー内に収納した被滅菌物を高圧蒸気にて滅菌するものである。
高圧蒸気滅菌器による滅菌作業は、「給水、加圧昇温、蒸気置換、滅菌、排気」という工程で行なわれる。その際、上記工程中において被滅菌物を収納するチャンバー内を高圧蒸気で満たすため、チャンバーの開口部を開閉可能な蓋により確実に密閉する必要がある。
【手続補正書】
【提出日】平成17年6月17日(2005.6.17)
【手続補正１】
【補正対象書類名】明細書
【補正対象項目名】０００３
【補正方法】変更
【補正の内容】
【０００３】
そこで、血栓の形成を防いでヘパリンロックを確実に維持するために、脱血ルーメンを有する外筒と、該外筒に内挿された返血ルーメンを有する内筒とからなり、該外筒を内筒に対して摺動させて外筒先端部の脱血孔を内筒先端の拡径部に嵌着させることにより、該脱血孔を閉塞しうる機構を設けたカテーテルが提案されている（例えば、特許文献２参照。）。また、該脱血孔および／または返血孔に対応する位置に孔が設けられたシースをカテーテルを覆うように被せ、該シースを回動させて、脱血孔および／または返血孔とシースの孔の位置をずらすことにより、該脱血孔または返血孔を閉塞しうる機構を設けたカテーテルも提案されている（例えば、特許文献３参照。）。
前記カテーテルはいずれも、脱血孔はシースにより閉塞されるため、脱血ルーメンのヘパリンロックは確実に維持される。しかし、該カテーテルは返血ルーメンがガイドワイヤー挿入用ルーメンと兼用されており、該返血ルーメンは先端において先端側へ向かって開口しているため、上記したシースの摺動または回動によって該開口を閉鎖することはできない。したがって、該返血ルーメンのヘパリンロックは確実なものとならず、従来のカテーテルと同様、血液の侵入により血栓が形成されるおそれがある。
【手続補正２】
【補正対象書類名】明細書
【補正対象項目名】００２２
【補正方法】変更
【補正の内容】
【００２２】
該内管３とガイドワイヤー挿入用管４の形状のさらに他の例としては、本発明のマルチルーメンカテーテルの第五の実施例を説明する図８および第六の実施例を説明する図９で示されるように、該ガイドワイヤー挿入用管４が該内管３に内挿される場合がある。
図８に示されるように、該内管３がガイドワイヤー挿入用管４と可動部３３においてのみ接続されている場合、該内管３の全長は該ガイドワイヤー挿入用管４の全長よりも短く設定され、該内管３の返血孔３２としては軸方向先端側へ向かって開口する孔が採用される。また、図９に示されるように、該内管３がガイドワイヤー挿入用管４と、基端側の可動部３３と接続され、さらに先端チップ４２においても接続されている場合、該内管３の返血孔３２は該内管３の側面で開口する側孔である。
【手続補正３】
【補正対象書類名】明細書
【補正対象項目名】００２６
【補正方法】変更
【補正の内容】
【００２６】
前記先端チップ４２の基端部および外管２の先端部は、それらの接合により前記脱血孔２２および返血孔３２におけるカテーテル１内外の連通を遮断するものであれば、その形状は特に限定されない。例えば、該先端チップ４２と外管２との接合面は、図３〜９に示すようにマルチルーメンカテーテル１の長手軸に対して垂直に交わる面上に形成されていてもよいし、図１０に示すようにマルチルーメンカテーテル１の長手軸に対して鈍角を有するように交わる面上に形成されていてもよい。図１０に示す接合面を有するマルチルーメンカテーテル１によれば、脱血孔２２および返血孔３２における連通を遮断するために必要とされる可動部３３の摺動距離を最大限に短くすることができるため、操作がより容易になって好ましい。
【手続補正４】
【補正対象書類名】明細書
【補正対象項目名】００２７
【補正方法】変更
【補正の内容】
【００２７】
本発明のマルチルーメンカテーテル１には、前記した外管２、内管３およびガイドワイヤー挿入用管４の透析処置を行う時の配置を保持しうる位置で、接続部２３と可動部３３とを固定するためのロック機構が設けられていてもよい。該ロック機構としては、接続部２３外表面に設けられた突部と可動部３３に設けられた軸方向に延びる溝との係合による機構などが好ましく用いられる。
また、該マルチルーメンカテーテル１には、透析処置を行わない時のガイドワイヤー挿入用管４の先端チップ４２と前記外管２とが接合された状態を保持しうる位置で、接続部２３と可動部３３とを固定するためのロック機構が設けられていてもよい。該ロック機構としては、前記透析処置を行う時の配置を保持するロック機構と同様の機構が好ましく用いられる。
前記透析処置を行う時の配置を保持しうるロック機構、および透析処置を行わない時の配置を保持しうるロック機構は、両方がカテーテル１に設けられることが好ましい。この場合のロック機構としては、例えば接続部２３外表面に設けられた突部と、可動部３３に設けられた軸方向に延びる溝との係合であって、該溝の形状が両端が軸に垂直な方向に曲がったコの字型や、両端が広い面積を有し中間部が狭い面積を有するダンベル型などである機構が挙げられる。
【手続補正５】
【補正対象書類名】明細書
【補正対象項目名】００２９
【補正方法】変更
【補正の内容】
【００２９】
次に、本発明のマルチルーメンカテーテル１の使用方法について、図１〜図４を用いて説明する。
まず、本発明のマルチルーメンカテーテル１は図２に示されるガイドワイヤー挿入用管４の先端チップ４２が外管２と接合された状態で患者の体内に導入される。該カテーテル１の導入の際には、公知の手段により、先端が血管内に、基端が体外に配置されるように予め患者に導入されたガイドワイヤーの基端部を先端チップ４２の開口部４３に挿入し、該ガイドワイヤーに沿って該カテーテル１が血管内に挿入される。この動作により、該ガイドワイヤーの基端部はガイドワイヤー挿入用ルーメン４１を通って可動部３３に進入し、ガイドワイヤー挿入用チューブ３３３を経てコネクター３３４より突出する。所定の位置までカテーテル１が挿入されれば、カテーテル１内のガイドワイヤーを該コネクター３３４を通して引き抜き、テープなどで患者の体に該カテーテル１を固定する。該カテーテル１表面に翼５等が設けられていれば、前記固定はより長期間に亘って確実に維持され好ましい。
【手続補正６】
【補正対象書類名】明細書
【補正対象項目名】００３１
【補正方法】変更
【補正の内容】
【００３１】
透析処置終了後、前記コネクター２３２および３３２が透析装置と切り離された後、脱血ルーメン２１および返血ルーメン３１にヘパリンが充填される。次いで、図２に示されるように可動部３３が接続部２３に対して基端側へ摺動せしめられる。これにより、図４に示されるように前記先端チップ４２と外管２とが液密に接合され、脱血ルーメン２１の脱血孔２２におけるカテーテル１外部と連通および返血ルーメン３１の返血孔３２におけるカテーテル１外部と連通が遮断される。
このとき、該脱血ルーメン２１および返血ルーメン３１に血液が残存している場合等、必要が有れば一方のルーメンよりヘパリン等の液体を導入して、該液体を他方のルーメンより排出し、両ルーメン内に残存する血液を洗い流す。その後、次の透析処置開始まで、該カテーテル１は血管内に留置される。